(57)【要約】      （修正有）【課題】低減されたＸ線被爆を有する血管セグメント化情報を提供するＸ線画像処理装置を提供すること。【解決手段】インタフェースユニット１２は、造影剤注入の後に得られる血管構造の時間系列血管造影法２Ｄ画像のシーケンスを提供するよう構成される。データ処理ユニット１４は、時間系列に沿って複数の決定したピクセルの各々について、造影剤注入に関連する所定の特性の到着時間インデックスを決定し、到着時間に基づき、複数の決定されたピクセルの各々について接続性インデックスを計算するよう構成される。データ処理ユニットは、複数の決定されたピクセルから血管構造のセグメント化データを生成するよう構成される。ここで、セグメント化データは、ピクセルの接続インデックスに基づく。データ処理ユニットは、更なる目的のためにセグメント化データを提供するよう構成される。【選択図】図１
2019162470.tif 000002
【特許請求の範囲】
【請求項１】
Ｘ線画像処理装置であって、
インタフェースユニットと、
データ処理ユニットと、
を有し、
前記インタフェースユニットは、造影剤注入の後に得られた血管構造の時系列血管造影法２Ｄ画像のシーケンスを提供するよう構成され、
前記データ処理ユニットは、時系列に沿って複数の決定されたピクセルの各々について、前記造影剤注入に関連する所定の特性の到着時間インデックスを決定し、前記到着時間インデックスに基づき、前記複数の決定されたピクセルの各々について接続性インデックスを計算し、前記複数の決定されたピクセルから前記血管構造のセグメント化データを生成し、前記セグメント化データは、前記ピクセルの前記接続性インデックスに基づき、更なる目的のために前記セグメント化データを提供するよう構成される、
Ｘ線画像処理装置。
【請求項２】
前記データ処理ユニットは、前記複数の決定されたピクセルの各々について血管信頼インデックスを計算し、前記血管信頼インデックスを前記到着時間インデックスと結合することにより前記複数の決定されたピクセルの各々について前記接続性インデックスを計算するよう構成される、請求項１に記載のＸ線画像処理装置。
【請求項３】
ディスプレイユニット、を更に有し、
前記データ処理ユニットは、前記セグメント化データから前記血管構造のセグメント化輪郭を生成するよう構成され、
前記ディスプレイユニットは、前記セグメント化輪郭を表示するよう構成される、
請求項１又は２に記載のＸ線画像処理装置。
【請求項４】
Ｘ線画像装置と、
画像処理装置と、
を有し、
前記Ｘ線画像装置は、血管構造の時系列血管造影法２Ｄ画像を生成するよう構成され、
前記Ｘ線画像処理装置は、請求項１、２、又は３に記載のＸ線画像処理装置である、
Ｘ線画像システム。
【請求項５】
注入装置、を有し、
前記注入装置は、前記時系列２Ｄ画像のシーケンスの取得中にオブジェクトの血管構造の中に造影剤を制御可能に注入するよう構成される、
請求項４に記載のＸ線画像システム。
【請求項６】
セグメント化情報を提供する方法であって、
（ａ１）造影剤注入の後に得られた血管構造の時系列血管造影法２Ｄ画像のシーケンスを提供するステップと、
（ｂ１）時系列に沿って複数の決定されたピクセルの各々について、前記造影剤注入に関連する所定の特性の到着時間インデックスを決定するステップと、
（ｃ）前記到着時間インデックスに基づき、前記複数の決定されたピクセルの各々について接続性インデックスを計算するステップと、
（ｄ）前記複数の決定されたピクセルから前記血管構造のセグメント化データを生成するステップであって、前記セグメント化データは、前記ピクセルの前記接続性インデックスに基づく、ステップと、
（ｅ）更なる目的のために前記セグメント化データを提供するステップと、
を有する方法。
【請求項７】
（ｂ２）前記複数の決定されたピクセルの各々について血管信頼インデックスを計算するステップ、を有し、ステップ（ｃ）は、前記血管信頼インデックスを前記到着時間インデックスと結合する、前記複数の決定されたピクセルの各々についての前記接続性インデックスを計算するステップを有する、
請求項６に記載の方法。
【請求項８】
ステップ（ａ１）の後に、
（ａ２）フィルタ済み画像のシーケンスを提供するために時間周波数分析を有するステップ、を有し、
ステップ（ｂ１）及び／又はステップ（ｂ２）は前記フィルタ済み画像に基づく、
請求項６又は７に記載の方法。
【請求項９】
ステップ（ｄ）で前記セグメント化データを生成するために、隣接ピクセルが比較され、
（ｉ）それらの造影剤到着時間インデックスの値の間の差が所定の閾より小さい場合、及び／又は
（ｉｉ）それらの血管信頼インデックスの値が所定の閾より高い場合、
ピクセルは接続していると見なされる、請求項６乃至８のいずれか一項に記載の方法。
【請求項１０】
ステップ（ｅ）で、前記血管構造のセグメント化輪郭は、前記セグメント化データから生成され、
（ｆ）前記セグメント化輪郭を表示するステップ、
を有する請求項６乃至９のいずれか一項に記載の方法。
【請求項１１】
ステップ（ｆ）で、ピクセルの前記血管信頼インデックス及び前記到着時間インデックスから生成された合成画像に、前記セグメント化輪郭が重ね合わされ、ユーザに造影剤進行マップを提供する、請求項１０に記載の方法。
【請求項１２】
重なり合う血管について、少なくとも２つの到着時間インデックスが決定され、
少なくとも２つの接続性インデックスは、別個に決定され格納される、
請求項６乃至１１のいずれか一項に記載の方法。
【請求項１３】
ステップ（ｄ）の後に、前記セグメント化データの中に含まれる前記接続性情報を、血流情報を決定する後続のフローアルゴリズムでマスクとして使用するステップ、を有する請求項６乃至１２のいずれか一項に記載の方法。
【請求項１４】
請求項１乃至５のいずれか一項に記載の装置を制御するコンピュータプログラムエレメントであって、処理ユニットにより実行されると、請求項６乃至１３のいずれか一項に記載の方法を実行するよう適応される、コンピュータプログラムエレメント。
【請求項１５】
請求項１４に記載のプログラムエレメントを格納したコンピュータ可読媒体。
【発明の詳細な説明】
【技術分野】
【０００１】
本発明は、血管セグメント化に関し、特に、セグメント化情報を提供する方法、Ｘ線画像処理装置、及びＸ線画像システム、並びに、コンピュータプログラムエレメント及びコンピュータ可読媒体に関する。
【背景技術】
【０００２】
医用Ｘ線画像では、血管のセグメント化は、例えば血管構造に関する増強情報を提供するために用いられる。このような情報は、患者の健康状態を評価するために、又は必要な診療の計画のためにも、のみならず、診療中の生の誘導のため及び処理の評価のためにも使用できる。例えば、動脈瘤は、通常、生のＸ線の誘導の下で血管内で処置される。動脈瘤は、動脈瘤の中にコイルを及び／又は栄養血管の中にステントを配置することにより処置できる。更なる例は、フロー誘導ステントの配置である。このような治療では、血管内の血流に関する知識が必要である。例えば、３次元Ｘ線写真血管造影取得は、血管構造、その形態を評価するために、手術を計画するために、及び特にフロー取得のための最適視角を計画するためにも行われる。ＷＯ２０１０／０１８４９５Ａ１は、Ｘ線におけるカラーフロー画像を記載する。しかしながら、特に交差する血管及び動脈の正確なセグメント化は、血流の測定を向上することが分かっている。セグメント化情報を達成する一例は、深さ情報を達成するための異なる角度からの少なくとも２つのＸ線画像の提供である。しかしながら、これは、追加Ｘ線被爆を意味し、Ｘ線システムが移動されて、この場合にはセグメント化データがフロー取得と同時に得られないか、又は複数のＸ線画像装置の使用を必要とする。
【発明の概要】
【０００３】
したがって、Ｘ線被爆を低減した、血管のフロー及び代理の血管形状情報を提供する改良した発展した方法を提供する必要がある。
【０００４】
本発明の目的は、独立請求項の主題により解決される。ここで、更なる実施形態は、従属請求項に組み込まれる。留意すべきことに、以下に記載する本発明の態様は、Ｘ線画像処理装置、Ｘ線画像システム、及びセグメント化情報を提供する方法、並びに、コンピュータプログラムエレメント、及びコンピュータ可読媒体にも適用される。さらに留意すべきことに、以下に記載する態様は、セグメント化情報を提供する装置、例えば画像処理装置の作動方法にも適用される。
【０００５】
本発明によると、インタフェースユニットと、データ処理ユニットと、を有するＸ線画像処理装置が適用される。インタフェースユニットは、造影剤注入の後に得られる血管構造の時間系列血管造影法２Ｄ画像のシーケンスを提供するよう構成される。データ処理ユニットは、時間系列に沿って複数の決定したピクセルの各々について、造影剤注入に関連する所定の特性の到着時間インデックスを決定するよう構成される。データ処理ユニットは、到着時間インデックスに基づき決定された複数のピクセルの各々について、接続性インデックスを計算するよう更に構成される。データ処理ユニットは、複数の決定されたピクセルから血管構造のセグメント化データを生成するよう更に構成される。ここで、セグメント化データは、ピクセルの接続性インデックスに基づく。データ処理ユニットは、更なる目的のためにセグメント化データを提供するよう更に構成される。
【０００６】
これは、画像の２Ｄシーケンスのみが提供されるが、しかしながら、造影剤の投薬に関連する時間因子を考慮することにより、深さ情報が提供され、次にセグメント化データ計算のために使用できるという利点を提供する。シーケンスは、各時点に１つのみの２Ｄ画像を有し、患者の最小画像被爆量を意味する。したがって、代理血管形状情報は、低減したＸ線被爆を伴う画像取得に基づき提供され、１つの形状構成のみが取得自体を実現する。さらに、セグメント化データは、更なる目的のために使用される同じ血管造影図から得られるので、セグメント化のために追加取得が使用されるときに生じ得る患者の動き又は血管拡張のような血管の変化に起因するいかなる差も存在しない。
【０００７】
一例によると、前記データ処理ユニットは、前記複数の決定されたピクセルの各々について血管信頼インデックスを計算し、前記血管信頼インデックスを前記到着時間インデックスと結合することにより前記複数の決定されたピクセルの各々について前記接続性インデックスを計算するよう構成される。
【０００８】
これは、血管信頼インデックスが、更なる詳細、したがって向上したセグメント化に関連する情報を提供するという利益をもたらす。
【０００９】
一例によると、Ｘ線処理装置は、ディスプレイユニットを有し、データ処理ユニットはセグメント化データから血管構造のセグメント化輪郭を生成するよう構成され、ディスプレイユニットはセグメント化輪郭を表示するよう構成される。
【００１０】
これは、セグメント化輪郭の提供が、視覚的な深さの外観を更に向上するという利益をもたらす。言い換えると、提示される表示画像は２Ｄ画像のみを有し３Ｄ画像に基づかないが、３次元情報の提供を更にサポートする。
【００１１】
本発明によると、Ｘ線画像装置と、画像処理装置と、を有するＸ線画像システムが提供される。Ｘ線画像装置は、血管構造の時系列血管造影法２Ｄ画像のシーケンスを生成するよう構成される。Ｘ線画像処理装置は、上述の例のうちの１つによるＸ線画像処理装置である。
【００１２】
一例によると、時系列２Ｄ画像のシーケンスの取得中にオブジェクトの血管構造の中に造影剤を制御可能に注入するよう構成される注入装置が設けられる。
【００１３】
例えば、オブジェクトは、検査中の、例えば病院の中の患者である。注入装置並びにＸ線画像処理装置へのデータ及び信号接続は、造影剤の量を最小限に調整可能にする。
【００１４】
本発明によると、セグメント化情報を提供する方法であって、（ａ１）造影剤注入の後に得られた血管構造の時系列血管造影法２Ｄ画像のシーケンスを提供するステップと、（ｂ１）時系列に沿って複数の決定されたピクセルの各々について、前記造影剤注入に関連する所定の特性の到着時間インデックスを決定するステップと、（ｃ）前記到着時間インデックスに基づき、前記複数の決定されたピクセルの各々について接続性インデックスを計算するステップと、（ｄ）前記複数の決定されたピクセルから前記血管構造のセグメント化データを生成するステップであって、前記セグメント化データは、前記ピクセルの前記接続性インデックスに基づく、ステップと、（ｅ）更なる目的のために前記セグメント化データを提供するステップと、を有する方法が提供される。
【００１５】
一例によると、方法は、（ｂ２）前記複数の決定されたピクセルの各々について血管信頼インデックスを計算するステップ、を有し、ステップ（ｃ）は、前記血管信頼インデックスを前記到着時間インデックスと結合する、前記複数の決定されたピクセルの各々についての前記接続性インデックスを計算するステップを有する。ステップ（ｂ２）は、ステップ（ｂ１）の後に続き、又はその逆であり得る。ステップ（ｂ１）及び（ｂ２）の両者は、同時に設けることも可能である。
【００１６】
ステップ（ｄ）のセグメント化は、時間連結性に基づく。セグメント化は、画像のシーケンスにより提供される２Ｄフローシーケンスをセグメント化するために提供される。
【００１７】
一例では、ステップ（ｂ１）は、造影剤の到着時間のようなキーポイントの分析及び／又は特性解析を有する。
【００１８】
一例によると、ステップ（ａ１）の後に、方法は、フィルタ済み画像のシーケンスを提供するために時間周波数分析を有するステップ（ａ２）を有する。さらに、ステップ（ｂ１）及び／又は（ｂ２）は、フィルタ済み画像に基づく。
【００１９】
一例では、１つ又は２つの基準が可能である。
【００２０】
一例による、ステップ（ｄ）でセグメント化データを生成するために、隣接ピクセルが比較される。それらの造影剤到着時間インデックスの値の間の差が所定の閾より小さい場合、及び／又はそれらの血管信頼インデックスの値が所定の閾より高い場合、ピクセルは接続していると見なされる。
【００２１】
更なる例によると、ステップ（ｅ）で、前記血管構造のセグメント化輪郭は、前記セグメント化データから生成され、方法は、（ｆ）前記セグメント化輪郭を表示するステップ、を有する。
【００２２】
一例によると、ステップ（ｆ）で、ピクセルの前記血管信頼インデックス及び前記到着時間インデックスから生成された合成画像に、前記セグメント化輪郭が重ね合わされ、ユーザに造影剤進行マップを提供する。
【００２３】
用語「造影剤進行」は、中間造影剤データ分析の提供に関連する。造影剤信号は、次に、例えば流速測定に関連する、後続の処理ステップでフローを推定するために使用できる。例えば、処理は、フロー情報マップとして示すことのできるフロー情報を提供できる。
【００２４】
本発明の一態様によると、造影剤到着時間の分析は、画像シーケンスをセグメント化するために用いられ、セグメント化は、例えば自動的に２Ｄフロー計算で使用されても良い。それにより、ピクセル毎の接続性を計算することが可能になる。したがって、本発明は、Ｘ線画像の中で交差する重なり合う血管又は互いに接触する血管の誤った接続を分離及び識別できる。接続性情報は、次に、フロー抽出アルゴリズムの中のマスクとして使用できる。時系列に剃った各ピクセルのグレイレベルの分析を用いた造影剤到着時間マップの計算は、画像全体の各ピクセルの中の造影剤の到着時間の推定をもたらす。さらに、血管信頼マップにより、到着時間マップの品質はさらに向上され、ユーザのための視覚的印象の改良された情報をもたらす。これは、次に、セグメント化のために使用できる。ここで、到着時間マップに基づく接続性は、投影により重なり合っている異なる血管を区別させる。不連続なフロー部分の識別は、重なり合わないセグメントの各々を別個に処理し、血管の重なり合う部分を処理から外すことを可能にする。さらに、特定の処理技術は、重なり合う領域の中のフローフィールドを抽出するために用いられる。用語「フロー」は、シーケンスの中の造影剤の位置ずれに関連し、したがって血液の速度に関連する。
【００２５】
本発明の上述の及び他の態様は、本願明細書に記載される実施形態から明らかであり、それらの実施形態を参照して教示される。
【図面の簡単な説明】
【００２６】
本発明の例示的な実施形態は、以下の図面を参照して以下に記載される。
【図１】Ｘ線処理装置の一例を図示する。
【図２】正面図でＸ線画像装置の一例を図示する。
【図３】血管フロー情報を達成するために使用できるセグメント化情報を提供する方法の一例の基本ステップを示す。
【図４】セグメント化情報を提供する方法の更なる例を示す。
【図５】セグメント化情報を提供する方法の更なる例を示す。
【図６】セグメント化情報を提供する方法の更なる例を示す。
【図７】セグメント化情報を提供する方法の更なる例を示す。
【図８】セグメント化情報を提供する方法の更なる例を示す。
【図９】セグメント化情報を提供する方法の更なる例を示す。
【図１０】一例による、血管信頼マップ、造影剤到着時間マップ及びセグメント化輪郭を有する接続マップ
【図１１】更なる例による、血管信頼マップ、造影剤到着時間マップ及びセグメント化輪郭を有する接続マップ
【図１２】造影剤進行マップの一例を示す。
【図１３】図９に示した例の写真説明を有するグラフィカル表現を示す。
【図１４】図１０に示した例の写真説明を有するグラフィカル表現を示す。
【図１５】図１１に示した例の写真説明を有するグラフィカル表現を示す。
【図１６】図１２に示した例の写真説明を有するグラフィカル表現を示す。
【発明を実施するための形態】
【００２７】
図１は、インタフェースユニット１２と、データ処理ユニット１４と、を有するＸ線画像処理装置１０を示す。インタフェースユニットは、造影剤注入の後に得られる血管構造の時間系列血管造影法２Ｄ画像のシーケンスを提供するよう構成される。例えば、２Ｄ画像のシリーズは、（図示しない）データベースにより提供される。別の例では、２Ｄ画像は、Ｘ線画像システム（以下も参照のこと）により提供される。データ処理ユニット１４は、時間系列に沿って複数の決定したピクセルの各々について、造影剤注入に関連する所定の特性の到着時間インデックスを決定するよう構成される。データ処理ユニット１４は、到着時間インデックスに基づき決定された複数のピクセルの各々について、接続性インデックスを計算するよう構成される。データ処理ユニットは、複数の決定されたピクセルから血管構造のセグメント化データを生成するよう更に構成される。ここで、セグメント化データは、ピクセルの接続性インデックスに基づく。データ処理ユニット１４は、更なる目的のためにセグメント化データを提供するよう更に構成される（図１には更に詳細に示されない）。
【００２８】
一例では、ディスプレイユニット１６が設けられ、データ処理ユニット１４はセグメント化データから血管構造のセグメント化輪郭を生成するよう構成され、ディスプレイ１６はセグメント化輪郭を表示するよう構成される。留意すべきことことに、ディスプレイユニット１６の提供は、図１にはオプションとして示され、点線により示される。
【００２９】
図２は、Ｘ線画像装置１０２と画像処理装置１０４とを有するＸ線画像システム１００を示す。Ｘ線画像装置１０２は、血管構造の時系列血管造影法２Ｄ画像のシーケンスを生成するよう構成される。Ｘ線画像処理装置１０４は、上述の例のうちの１つによるＸ線画像処理装置１００である。例えば、Ｘ線画像蔵置１０２は、Ｃアームシステムとして設けられても良い。ここで、Ｘ線源１０６及びＸ線検出器１０８は、可動Ｃアーム構造１１０の相対する端に配置される。Ｃアーム構造１１０は、例えば天井１１４から吊される可動支持体１１２により支持されても良い。さらに、オブジェクト受容装置１１６、例えば患者台が設けられる。オブジェクトは、円１１８により示され、患者台１１６の上に設けられても良く、３Ｄ画像はＸ線画像装置１０２により取得できる。また、ＣＴシステム又は固定Ｘ線システムのような他のＸ線画像装置も設けられる。
【００３０】
一例では、時系列２Ｄ画像のシーケンスの取得中にオブジェクト１１８の血管構造の中に造影剤を制御可能に注入するよう構成される注入装置１２０が設けられる。留意すべきことに、造影剤を注入する装置は、単純な点線１２２により示される。さらに、別の点線１２４は、画像処理装置１０４とのデータ接続を示す。注入装置１２０は図２では個々の点線を用いることにより示されるようにオプションとして示されることに留意しなければならない。
【００３１】
図３は、以下のステップを有するセグメント化情報を提供する方法２００を示す。第１のステップ２０２で、造影剤注入の後に得られる血管構造の時間系列血管造影法２Ｄ画像のシーケンス２０４が提供される。第２のステップ２０６で、時間系列に沿って複数の決定したピクセルの各々について、造影剤注入に関連する所定の特性の到着時間インデックス２０８が決定される。第３のステップ２１０で、複数の決定されたピクセルの各々の接続性インデックス２１２は、到着時間インデックスに基づき計算される。第４のステップ２１４で、複数の決定されたピクセルから血管構造のセグメント化データ２１６が生成される。ここで、セグメント化データ２１６は、ピクセルの接続性インデックス２１２に基づく。第５のステップ２１８で、セグメント化データ２１６は、更なる目的のために提供される。第１のステップ２０２はステップ（ａ１）、第２のステップ２０６はステップ（ｂ１）、第３のステップ２１０はステップ（ｃ）、第４のステップ２１４はステップ（ｄ）、第５のステップ２１８はステップ（ｅ）、としても表される。
【００３２】
図４に示す更なる例では、複数の決定されたピクセルの各々について血管信頼インデックス２２２を計算する計算ステップ２２０が設けられる。計算ステップ２２０は、第２のステップ２０６と並列に設けられても良い。計算ステップ２２０は、ステップ（ｂ２）としても表される。さらに、ステップ（ｃ）は、複数の決定されたピクセルの各々についての接続性インデックスを計算するステップと、血管信頼インデックス２２２を到着時間インデックス２０８と結合するステップと、を有する。ステップ（ｃ）のこの強化計算は、参照符号２１０’により示される。結果として生じる接続性インデックスは、血管信頼インデックスと到着時間インデックスとの結合を用いるので、強化接続性インデックスとしても表され、参照符号２１２’で示される。
【００３３】
ステップ（ｂ１）で、所定の特性は、造影剤の到着時間、造影剤のピークまでの時間、造影剤の消失時間若しくは流出時間、又は最小限の造影剤のための時間として提供されても良い。所定のピクセルは、全部のピクセル、又は画像の選択された領域であっても良い。一例では、ステップ（ｂ１）は、到着時間マップを計算するステップを有する。別の例では、ステップ（ｂ２）は、血管信頼マップを計算するステップを有する。
【００３４】
図５は、更なる例を示す。本例では、ステップ（ａ１）に続き、更なるステップ２２０が提供される。ステップ２２０で、フィルタ済み画像２２２のシーケンスを提供するために時間周波数分析が実行される。次に、ステップ（ｂ１）及び／又は（ｂ２）は、フィルタ済み画像２２２に基づく。
【００３５】
一例では、時間系列に沿って複数の決定したピクセルの各々について、造影剤注入に関連する所定の特性の到着時間インデックスを決定するステップ（ｂ１）は、フィルタ済み画像２２２のシーケンスに基づく。
【００３６】
更なる例では、時系列に沿って複数の決定されたピクセルの各々について造影剤注入に関連する所定の特性の到着時間インデックスを決定するステップ（ｂ１）は、フィルタ済み画像のシーケンスに基づく。また、複数の決定されたピクセルの各々について血管信頼インデックスを計算するステップ（ｂ２）も、フィルタ済み画像２２２のシーケンスに基づく。一例では、ステップ（ａ２）は、雑音を除去するために、血管造影法画像のシーケンスのピクセル値をフィルタリングするステップを有する。
【００３７】
図６に示す更に別の例では、ステップ（ｄ）でセグメント化データを生成するために、参照符号２１４’により示される比較ステップで隣接ピクセルが比較される。次の一方又は両方が適合する場合、ピクセルは接続していると見なされる。第１の基準として、それらの到着時間インデックスの値の間の差が、所定の閾より小さい。代替で又は追加で適用される第２の基準として、それらの血管信頼インデックスの値が、所定の閾より高い。
【００３８】
一例では、ステップ（ｄ）でセグメント化データを生成するために、隣接ピクセルが比較される。それらの造影剤到着時間インデックスの値の間の差が所定の閾より小さい場合、ピクセルは接続していると見なされる。
【００３９】
別の例では、ステップ（ｄ）でセグメント化データを生成するために、隣接ピクセルが比較される。それらの造影剤到着時間インデックスの値の間の差が所定の閾より小さい場合、且つそれらの血管信頼インデックスの値が所定の閾より高い場合、ピクセルは接続していると見なされる。
【００４０】
図７は、更なる例を示す。ここで、血管構造のセグメント化輪郭２２４は、セグメント化データから生成される。この生成手順は、参照符号２１８’により示される。更に、セグメント化輪郭２２４を表示する表示ステップ２２６が設けられ、ステップ（ｆ）としても表される。
【００４１】
一例では、セグメント化輪郭２２４は、（ｆ１）ピクセルの血管信頼インデックスに基づき生成された血管信頼マップ、及び／又は（ｆ２）ピクセルの到着時間インデックスに基づき生成された到着時間マップ、に重ね合わされ又は結合される。
【００４２】
図８は、参照符号２２８により示されるステップ（ｆ）で、血管信頼インデックス２２２及びピクセルの到着時間インデックス２０８から生成された合成画像に、輪郭２２４が重ね合わされ、ユーザに造影剤進行マップ２３０を提供する一例を示す。血管信頼インデックス２２２及び到着時間インデックス２０８のデータの使用は、２つの矢印２３２、２３４により示され、ステップ（ｆ）への個々のデータの入力を図式的に示す。
【００４３】
留意すべきことに、更なる例では、上述の血管信頼インデックス及び到着時間インデックスの一方のみが、造影剤進行マップを形成する合成画像のために用いられる。
【００４４】
造影剤進行マップ２３０は、到着時間を示す第１のグラフィカルパラメータと、信頼を示す第２のグラフィカルパラメータと、を有しても良い。例えば、グラフィカルパラメータは、カラーコードであり、第２のグラフィカルパラメータは、透明度の飽和率である。
【００４５】
図示しない更なる例によると、血管をオーバラップするために、少なくとも２つの到着時間インデックス（値）が決定される。さらに、少なくとも２つの接続性インデックス（値）が決定され、別個に格納される。
【００４６】
これも図示されない更なる例によると、ステップ（ｄ）に続き、セグメント化データの中に含まれる接続情報を、血流情報を決定する後続のフローアルゴリズムでマスクとして使用するステップが設けられる。
【００４７】
用語「マスク」は、他の部分からピクセルの部分を分離するために、ピクセルの中に境界線を決定することを表す。接続性インデックス及び信頼マップの知識から、オーバラップを有しない幾つかの血管セグメントが定められる。ラベルは、各セグメントに付される。合成マスク画像が得られ、各ラベル値は、特定の血管セグメントマップに対応する。ラベル（又はセグメント）毎に、フローフィールドが別個に抽出され、不連続な血管セグメントから不連続なフローフィールドが得られる。これは、フロー処理からオーバラップする血管を有する領域を廃棄させる。フロー処理の部分自体は、従来知られているとして提供されても良い。本発明によると、マスクは、フロー処理ステップの入力として供給される。
【００４８】
更なる例によると、少なくとも２つの到着時間インデックスから計算されたオーバラップする血管の接続性は別個に格納され、マルチレイヤマスクが後続のフローアルゴリズムに提供される。したがって、各レイヤについて、血流情報が別個に計算できる。
【００４９】
更なる例によると、血管の接続性は、オーバラップする血管の少なくとも２つの到着時間インデックスの計算に基づき、少なくとも２つの複数の時間的瞬間について決定される。複数の接続性インデックスは、異なる接続性インデックスを用いて画像シーケンスの部分を処理するために、後続のフローアルゴリズムにより使用できる。これは、血管が画像シーケンス全体の間にオーバラップしない比較的短い造影剤注入又は長い画像シーケンスの場合に有利であり得る。
【００５０】
さらに、セグメント化情報を提供する装置の作動方法であって、（ａ１）造影剤注入の後に得られた血管構造の時系列血管造影法２Ｄ画像のシーケンスを処理ユニットに提供するステップと、（ｂ１）処理ユニットにより、時系列に沿って複数の決定されたピクセルの各々について、造影剤注入に関連する所定の特性の到着時間インデックスを決定するステップと、（ｂ２）処理ユニットにより、複数の決定されたピクセルの各々について、血管信頼インデックスを計算するステップと、（ｃ）血管信頼インデックスを到着時間インデックスと結合することにより、複数の決定されたピクセルの各々について接続性インデックスを計算するステップと、（ｄ）処理ユニットにより、複数の決定されたピクセルから、血管構造のセグメント化データを生成するステップであって、セグメント化データは、ピクセルの接続性インデックスに基づく、ステップと、（ｅ）更なる目的のためにセグメント化データを提供するステップと、を有する方法も提供される。
【００５１】
特に留意すべきことに、装置の作動方法は、画像処理装置の作動に関連する。方法のステップは、例えばデータが格納されるデータベースにより提供されても良い画像シーケンスに基づく。画像処理装置の作動方法に関連して、造影剤の注入は、方法のステップの部分ではなく、画像の取得のために実行されるだけである。しかしながら、取得された画像は、造影剤が注入されている間に造影剤の視覚的外観を決定するために、時系列が特定の画像の特定の時間インデックスとの関係を提供する限り、他の目的のためにも必要な画像であっても良い。
【００５２】
本発明によると、時系列に沿って各ピクセルのグレイレベルの分析を用いて、造影剤到着時間マップを計算することが提案される。これは、画像全体のうちの各ピクセルの中の造影剤の到着時間を推定可能にする。代替で、造影剤到着時間マップの他の特徴も、同じ目的、例えば、ピークまでの時間、造影剤が消失する時間、等を達成するために使用できる。他方で、計算された到着時間マップの場合によっては悩ましい視覚的印象を抑制するために、到着時間マップの品質を補正し増強するために、血管信頼マップの使用が提供される。この技術は、カラーコード画像の生成をもたらす。ここで、カラーは、到着時間を示し、飽和は、表示された値の範囲内での信頼度を示す。この技術により、単一画像の中の最大情報が纏められ、重なり合い及び隠れた血管が正確に視覚化される。この画像は、次に、例えば特定の信頼範囲の中で成長する領域として方法を用いてセグメント化される。到着時間マップに基づく接続性は、投影により重なり合っている異なる血管を区別させる。
【００５３】
図９は、方法のステップの更なる例を示す。
【００５４】
図示のように、動脈内の造影剤注入の後に得られた血管造影法のリアルタイムシーケンス３０２は、入力３０４として提供される。さらに、時間周波数分析３０６が設けられても良い。更なるフレーム３１０の中のグラフ３０８は、元の時系列３１２及び結果として生じたフィルタ済み時系列３１４のグラフを示す。時間周波数分析３０６では、各ピクセルのグレイレベルの変動は、雑音を除去するため及び造影剤の到着時間を計算するためにフィルタリングされても良い。このフィルタリング処理は、適応型再帰的時間フィルタ、ウィーナフィルタ、フーリエ変換、又は離散コサイン変換のような異なる技術に依存し得る。この処理の目的は、雑音及び血流拍動性に起因する造影剤変動を除去することである。
【００５５】
次のステップ３１６で、キーポイント分析及び特性解析が設けられる。例えば、更なるフレーム３１８は、到着時間３２０、最小造影時間３２２、消失時間２４をグラフに沿って可能なキーポイントとして示す。例えば、フィルタ済み時系列は、造影剤到着時間、造影剤が流出する時間、及び最大造影剤存在時間を含む、造影剤注入の一般モデルに従って解釈される。これらのキーポイントは、自動的に及び個々に見付けられ、次のように定められる。（ｉ）時系列の勾配が最小である、時間、（ｉｉ）時系列の勾配が最大であり且つ予め定められた到着時点より大きい、時間、（ｉｉｉ）時系列が最小であり且つ２つの前述の時点の間である、時間。
【００５６】
更なるステップとして、血管信頼計算３２６が設けられる。血管信頼計算３２６は、矢印セグメント３２８により示されるように血管造影シーケンス３０２と共に、又は矢印セグメント３３０により示されるように分析データをフィルタリングすることにより、供給されても良い。血管信頼計算ステップ３２６の下に、血管信頼マップ３３２を示す。
【００５７】
さらに、造影剤到着時間マップ３３４は、例えばキーポイント分析及び特性解析ステップ３１６からの、線矢印セグメント３３６により示される結果に基づき生成されても良い。さらに、例えば周辺の身体構造を示すために、造影剤到着時間マップのグラフィカル表現を構築するために、血管造影法シーケンス３０２を使用することも可能である。
【００５８】
更なるステップとして、カラーコード信頼及び到着時間マップを生成するステップ３３８が設けられる。最終的なカラーコード画像は、色が到着時間を示し、飽和状態が表示された値の範囲内の信頼度を示すように、構築されても良い。カラーコード画像は、色づけされた到着時間マップから同様に生成できる。ここで、各ピクセルのアルファ透明度（alpha  transparency）は、血管信頼マップから制御される。
【００５９】
さらに、時間接続性に基づくセグメント化ステップが設けられる。ピクセルは、それらの造影剤到着時間値の間の差が所与の閾ｔ１より小さく、且つそれらの血管信頼度が閾ｖ１より高い場合、接続されていると見なされる。セグメント化は、次に、造影剤進行マップ３４２を生成するために、カラーコード信頼性及び到着時間マップと一緒に使用できる。
【００６０】
説明の目的で、図１０は、上部に上述の血管信頼度３４４のグラフィカル表現を、中央部に造影剤到着時間表現３４６を示す。血管信頼度３４４の表現では、血管信頼度は、グレイスケールを用いて示されても良い。ここで、白色ピクセルは高い血管信頼度を示し、暗いピクセルは低い血管信頼度を示す。造影剤到着時間表現３４６では、到着時間は、青色から緑及び黄色を経て赤色までに渡る虹カラースケールを用いて示されても良い。ここで、青色は早い造影剤到着を示し、赤色は遅い造影剤到着を示す。さらに、下部分では、セグメント化表現３４８は接続性を示す。例えば、時間分解能は、高い分解能でも提供できるので、より緻密なセグメント化情報をもたらし得る。セグメント化表現３４８は、例えば血流を計算する更なるアルゴリズムの入力として使用できる、接続された血管を示す輪郭３５０と共に示される。輪郭３５０は、更なる手動補正のためにも提供できる。
【００６１】
図１１は、上部に血管信頼度表現３５２、中央部に造影剤到着時間表現３５４、及び下部に輪郭３５８も有するセグメント化表現３５６の更なる例を示す。血管信頼度表現３５２は、シーケンス取得中の造影剤注入により明らかになった血管構造を示す。これは、多くの血管、及び多くの重なり合った血管セグメントを含む。造影剤到着時間表現３５４は、造影剤波面の侵食（wash）が動脈構造の各点に達するときを示す。早い到着は青色で、遅い到着は赤色で提供されても良い。この画像の高い勾配は、構造の中の造影剤経路の不連続を示し、セグメント化表現３５６を得ることを可能にする。このセグメント化表現３５６は、時間的に接続される、空間的に接続される構造に対応する血管構造を提供する。
【００６２】
図１２は、造影剤進行マップ３６０の一例を示す。ここで、深さ情報がユーザに視覚的に提供されるが、例えば血流を計算する更なる計算ステップも提供される。
【００６３】
一態様によると、血管信頼度、時間到着マップ、及び時間差と結合された空間差（ピクセル強度）の基本態様を有する２Ｄ画像分析方法は、セグメント化を達成するために提供される。更なる例によると、手順は、重なり合う構造が良好に分離される画像を生成するために、画像シーケンスの空間及び時間的勾配を考慮することにより微調整できる。この画像は、血管信頼度マップからの情報、推定した到着時間、及び近隣ピクセルの時系列の間の絶対二乗差を含む追加情報をマージすることから成る。二乗差が、特定の基準、例えば固定閾、又はピクセル毎に計算された局所的流速より高いとき、それらは接続されていないと見なされる。このような画像を図１２に示す。
【００６４】
利点として、留意しなければならないことに、血管が背景で交差するとき、ピクセルの中に格納される接続性情報は、前景血管及び背景血管のピクセルが直接隣接していたとしても、前景血管と背景血管との間にいかなる接続も存在しないことを示す。フロー計算を微調整するために接続性情報を使用できる。血液は、接続されているピクセルを通じてのみ流れることができる。さらに、この手順は、複雑な重なり合う構造の描写を簡単にする３Ｄ視覚効果を生成する。
【００６５】
手順は、血管が重なり合う場合、各ピクセルについて、複数の造影剤到着時間を検出するために拡張することもできる。この情報は、複数のレイヤに接続性を格納するために使用できる。したがって、各ピクセル毎に、接続性は、各血管セグメントについて別個に格納される。複数レイヤの接続性は、次に、異なるレイヤの造影剤波面を分離するために使用でき、各レイヤ毎に別個にフロー計算を繰り返ことができる。例えば、重なり合う血管は、複数レイヤで分析される。フロー波は、次に、各レイヤについて別個に続く。つまり、前景の血管があるレイヤに示され、背後にある血管は第２のレイヤに示され、両方のレイヤは、互いに離されて別個に提示できる。
【００６６】
図１３〜１６は、図９〜１２の例を示し、グラフィカル線表現の代わりに、同じ参照符号に関連して写真画像が挿入される。これらの更なる図は、良好な理解を提供し、更なる説明は必要ない。
【００６７】
本発明の別の例示的な実施形態では、前述の実施形態のうちの１つによる方法の方法ステップを適切なシステムで実行するために適応されることにより特徴付けられるコンピュータプログラム又はコンピュータプログラムエレメントが提供される。コンピュータプログラムエレメントは、したがって、本発明の一実施形態の部分でもあり得るコンピュータユニットに格納されても良い。このコンピューティングユニットは、上述の方法のステップを実行する又は実行を誘起するよう適応されても良い。さらに、上述の装置のコンポーネントを作動するために適応されても良い。コンピューティングユニットは、自動的に作動するよう及び／又はユーザの命令を実行するよう適応できる。コンピュータプログラムは、データプロセッサのワーキングメモリにロードされても良い。データプロセッサは、したがって、本発明の方法を実行するよう実装されても良い。
【００６８】
本発明のこの例示的な実施形態は、最初から本発明を使用するコンピュータプログラム、及び既存のプログラムを更新により本発明を使用するプログラムに変えるコンピュータプログラム、の両方を包含する。さらに、コンピュータプログラムエレメントは、上述の方法の例示的な実施形態の手順を満たす全ての必要なステップを提供し得る。
【００６９】
本発明の更なる例示的な実施形態によると、ＣＤ−ＲＯＭのようなコンピュータ可読媒体が提示され、コンピュータ可読媒体は、コンピュータプログラムエレメントを格納され、該コンピュータプログラムエレメントは先行するセクションにより記載される。コンピュータプログラムは、インターネット又は他の有線若しくは無線通信システムを介するような、他のハードウェアと共に又はその一部として提供される光記憶媒体又は固体媒体のような適切な媒体に格納され及び／又は分配されても良く、他の形式で分配されても良い。しかしながら、コンピュータプログラムは、ワールドワイドウェブのようなネットワークを介して提示され、このようなネットワークからデータプロセッサのワーキングメモリにダウンロード可能であっても良い。本発明の更なる例示的な実施形態によると、コンピュータプログラムエレメントをダウンロードのために利用可能にする媒体が提供される。該コンピュータプログラムエレメントは、本発明の前述の実施形態のうちの１つによる方法を実行するよう構成される。
【００７０】
留意すべきことに、本発明の実施形態は、異なる主題を参照して記載された。特に、幾つかの実施形態は、方法の種類の請求項を参照して記載されたが、他の実施形態は、装置の種類の請求項を参照して記載された。しかしながら、当業者は、上述の及び以下の説明から、特に断らない限り、ある種類の主題に属する特徴のいかなる組合せに加えて、異なる主題に関連する特徴の間のいかなる組合せも本願により開示されるものと見なされることを理解する。しかしながら、全ての特徴は結合でき、特徴の単純な和より大きな相乗効果を提供する。
【００７１】
本発明は図面及び上述の説明で詳細に説明されたが、このような図面及び説明は説明及び例であり、本発明を限定するものではない。本発明は開示された実施形態に限定されない。開示された実施形態の他の変形は、図面、詳細な説明、及び従属請求項を読むことにより、当業者に理解され請求項に記載された発明を実施する際に実施されうる。
【００７２】
留意すべき点は、用語「有する（comprising）」は他の要素又は段階を排除しないこと、及び単数を表す語（a、an）は複数を排除しないことである。単一のプロセッサ又は他のユニットが、請求の範囲に記載された幾つかのアイテムの機能を満たしても良い。特定の量が相互に異なる従属請求項に記載されるという事実は、これらの量の組合せが有利に用いることが出来ないことを示すものではない。請求項中のいかなる参照符号も請求の範囲又は本発明の範囲を制限するものと考えられるべきではない。
【符号の説明】
【００７３】
１０  Ｘ線画像処理装置
１２  インタフェースユニット
１４  データ処理ユニット
１６  ディスプレイユニット
【図１】
2019162470.tif 000003
【図２】
2019162470.tif 000004
【図３】
2019162470.tif 000005
【図４】
2019162470.tif 000006
【図５】
2019162470.tif 000007
【図６】
2019162470.tif 000008
【図７】
2019162470.tif 000009
【図８】
2019162470.tif 000010
【図９】
2019162470.tif 000011
【図１０】
2019162470.tif 000012
【図１１】
2019162470.tif 000013
【図１２】
2019162470.tif 000014
【図１３】
2019162470.tif 000015
【図１４】
2019162470.tif 000016
【図１５】
2019162470.tif 000017
【図１６】
2019162470.tif 000018
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
Ｘ線画像処理装置であって、
インタフェースユニットと、
データ処理ユニットと、
を有し、
前記インタフェースユニットは、造影剤注入の後に得られた血管構造の時系列血管造影法２Ｄ画像のシーケンスを提供するよう構成され、前記シーケンスは、１つのみの形状構成により取得された、各時点について１つのみの２Ｄ画像を有し、
前記データ処理ユニットは、時系列に沿って複数の決定されたピクセルの各々について、前記造影剤注入に関連する所定の特性の到着時間インデックスを決定し、前記到着時間インデックスに基づき、前記複数の決定されたピクセルの各々について接続性インデックスを計算し、前記複数の決定されたピクセルから前記血管構造のセグメント化データを生成し、前記セグメント化データの中で、前記血管造影法２Ｄ画像内に投影されることにより重ね合わされた異なる血管は、前記ピクセルの前記接続性インデックスに基づき区別され、更なる目的のために前記セグメント化データを提供するよう構成される、
Ｘ線画像処理装置。
【請求項２】
前記データ処理ユニットは、前記複数の決定されたピクセルの各々について血管信頼インデックスを計算し、前記血管信頼インデックスを前記到着時間インデックスと結合することにより前記複数の決定されたピクセルの各々について前記接続性インデックスを計算するよう構成される、請求項１に記載のＸ線画像処理装置。
【請求項３】
ディスプレイユニット、を更に有し、
前記データ処理ユニットは、前記セグメント化データから前記血管構造のセグメント化輪郭を生成するよう構成され、
前記ディスプレイユニットは、前記セグメント化輪郭を表示するよう構成される、
請求項１又は２に記載のＸ線画像処理装置。
【請求項４】
Ｘ線画像装置と、
画像処理装置と、
を有し、
前記Ｘ線画像装置は、血管構造の時系列血管造影法２Ｄ画像を生成するよう構成され、
前記Ｘ線画像処理装置は、請求項１、２、又は３に記載のＸ線画像処理装置である、
Ｘ線画像システム。
【請求項５】
注入装置、を有し、
前記注入装置は、前記時系列２Ｄ画像のシーケンスの取得中にオブジェクトの血管構造の中に造影剤を制御可能に注入するよう構成される、
請求項４に記載のＸ線画像システム。
【請求項６】
セグメント化情報を提供する方法であって、
（ａ１）造影剤注入の後に得られた血管構造の時系列血管造影法２Ｄ画像のシーケンスを提供するステップであって、前記シーケンスは、１つのみの形状構成により取得された、各時点について１つのみの２Ｄ画像を有する、ステップと、
（ｂ１）時系列に沿って複数の決定されたピクセルの各々について、前記造影剤注入に関連する所定の特性の到着時間インデックスを決定するステップと、
（ｃ）前記到着時間インデックスに基づき、前記複数の決定されたピクセルの各々について接続性インデックスを計算するステップと、
（ｄ）前記複数の決定されたピクセルから前記血管構造のセグメント化データを生成するステップであって、前記セグメント化データの生成は、前記ピクセルの前記接続性インデックスに基づき前記血管造影法２Ｄ画像内に投影されることにより重ね合わされた異なる血管の間を区別することを含む、ステップと、
（ｅ）更なる目的のために前記セグメント化データを提供するステップと、
を有する方法。
【請求項７】
（ｂ２）前記複数の決定されたピクセルの各々について血管信頼インデックスを計算するステップ、を有し、ステップ（ｃ）は、前記血管信頼インデックスを前記到着時間インデックスと結合する、前記複数の決定されたピクセルの各々についての前記接続性インデックスを計算するステップを有する、
請求項６に記載の方法。
【請求項８】
ステップ（ａ１）の後に、
（ａ２）フィルタ済み画像のシーケンスを提供するために時間周波数分析を有するステップ、を有し、
ステップ（ｂ１）及び／又はステップ（ｂ２）は前記フィルタ済み画像に基づく、
請求項７に記載の方法。
【請求項９】
ステップ（ｄ）で前記セグメント化データを生成するために、隣接ピクセルが比較され、
（ｉ）それらの造影剤到着時間インデックスの値の間の差が所定の閾より小さい場合、及び／又は
（ｉｉ）それらの血管信頼インデックスの値が所定の閾より高い場合、
ピクセルは接続していると見なされる、請求項７又は８に記載の方法。
【請求項１０】
ステップ（ｅ）で、前記血管構造のセグメント化輪郭は、前記セグメント化データから生成され、
（ｆ）前記セグメント化輪郭を表示するステップ、
を有する請求項７乃至９のいずれか一項に記載の方法。
【請求項１１】
ステップ（ｆ）で、ピクセルの前記血管信頼インデックス及び前記到着時間インデックスから生成された合成画像に、前記セグメント化輪郭が重ね合わされ、ユーザに造影剤進行マップを提供する、請求項１０に記載の方法。
【請求項１２】
重なり合う血管について、少なくとも２つの到着時間インデックスが決定され、
少なくとも２つの接続性インデックスは、別個に決定され格納される、
請求項６乃至１１のいずれか一項に記載の方法。
【請求項１３】
ステップ（ｄ）の後に、前記セグメント化データの中に含まれる接続性情報を、血流情報を決定する後続のフローアルゴリズムでマスクとして使用するステップ、を有する請求項６乃至１２のいずれか一項に記載の方法。
【請求項１４】
請求項１乃至５のいずれか一項に記載の装置を制御するコンピュータプログラムエレメントであって、処理ユニットにより実行されると、請求項６乃至１３のいずれか一項に記載の方法を実行するよう適応される、コンピュータプログラムエレメント。
【請求項１５】
請求項１４に記載のプログラムエレメントを格納したコンピュータ可読媒体。
【外国語明細書】
2019162470000001.pdf